(57)【特許請求の範囲】
【請求項１】
無線リソース設定調整方法であって、
ユーザ機器における過熱問題が発生した場合、前記ユーザ機器によってネットワークデバイスに第1のメッセージを送信するステップであって、前記第1のメッセージは、前記過熱問題が前記ユーザ機器で発生したことを、前記ネットワークデバイスに通知するために使用される、ステップと、
前記ネットワークデバイスからのメッセージを前記ユーザ機器によって受信するステップであって、前記ネットワークデバイスからのメッセージは、前記ユーザ機器に以下の動作のうちの少なくとも1つを行うことを指示するために使用され、前記動作は、セカンダリサービングセルを解放すること、および前記ユーザ機器についてMIMO layerの最大数量を再設定することを含む、ステップと、
前記ユーザ機器によって、前記ネットワークデバイスからのメッセージに従って、セカンダリサービングセルを解放すること、ならびに／または、対応する数量の無線周波数受信リンクおよび対応する数量の無線周波数送信リンクを無効にすることを行うステップと、
を含み、
前記第1のメッセージは支援情報を含み、前記支援情報は、
前記ユーザ機器によってサポートされる設定されたダウンリンクSCellの数量および／もしくは前記ユーザ機器によってサポートされる設定されたアップリンクSCellの数量、または、
各サービングセルに対応する周波数帯域で前記ユーザ機器によってサポートされるダウンリンクMIMO layerの最大数量および／もしくはアップリンクMIMO layerの最大数量
を含むことを特徴とする方法。
【請求項２】
前記過熱問題が軽減されたとき、前記第1のメッセージは支援情報を含まない、請求項1に記載の方法。
【請求項３】
前記ユーザ機器が前記第1のメッセージをレポートするプロセスを開始すると、前記ユーザ機器は第1のタイマを開始または再開し、
前記第1のタイマの長さは、前記ネットワークデバイスによって前記ユーザ機器について設定される、請求項1または2に記載の方法。
【請求項４】
前記現在の第1のメッセージの内容が以前にレポートされた第1のメッセージの内容とは異なり、かつ前記第1のタイマが動作しない場合、前記ユーザ機器は前記第1のメッセージをレポートすることを開始する、請求項3に記載の方法。
【請求項５】
前記ユーザ機器は、前記ネットワークデバイスによって送信された第1の指示情報を受信し、前記第1の指示情報は、前記ユーザ機器が前記第1のメッセージをレポートできるかどうかを前記ユーザ機器に通知するために使用される、請求項1から4のいずれか一項に記載の方法。
【請求項６】
前記ユーザ機器は前記ネットワークデバイスに第2のメッセージを送信し、前記第2のメッセージは第2の指示情報を含み、前記第2の指示情報は、前記ユーザ機器が前記第1のメッセージをサポートするかどうかを示すために使用される、請求項1から5のいずれか一項に記載の方法。
【請求項７】
ユーザ機器からの第1のメッセージをネットワークデバイスによって受信するステップであって、前記第1のメッセージは、過熱問題が前記ユーザ機器で発生したことを、前記ネットワークデバイスに通知するために使用される、ステップと、
前記ネットワークデバイスによって前記ユーザ機器に応答メッセージを送信するステップであって、前記応答メッセージは、前記ユーザ機器に、以下の動作、すなわちセカンダリサービングセルを解放すること、または前記ユーザ機器についてMIMO layerの最大数量を再設定することのうちの少なくとも1つを行うことを指示するために使用される、ステップと
を含み、
前記第1のメッセージは支援情報を含み、前記支援情報は、
前記ユーザ機器によってサポートされる設定されたダウンリンクSCellの数量および／もしくは前記ユーザ機器によってサポートされる設定されたアップリンクSCellの数量、または、
各サービングセルに対応する周波数帯域で前記ユーザ機器によってサポートされるダウンリンクMIMO layerの最大数量および／もしくはアップリンクMIMO layerの最大数量
を含むことを特徴とする、
無線リソース設定調整方法。
【請求項８】
前記第1のメッセージが支援情報を含まない場合、前記第1のメッセージは、前記過熱問題が軽減されたことを前記ユーザ機器が検出したことを示し、
前記ネットワークデバイスは、前記ユーザ機器に前記応答メッセージを送信し、前記応答メッセージは、セカンダリサービングセルをアクティブ化すること、またはセカンダリサービングセルを追加することを行うよう、前記ユーザ機器に命令するために使用される、請求項7に記載の方法。
【請求項９】
前記ネットワークデバイスが、前記ユーザ機器に第2のメッセージを送信し、前記第2のメッセージは第1のタイマの長さ値を含み、
前記ユーザ機器が前記第1のメッセージをレポートするプロセスを開始すると、前記ユーザ機器は前記第1のタイマを開始または再開し、前記第1のタイマの機能は以下の通りであって、すなわち、前記現在の第1のメッセージの内容が以前にレポートされた第1のメッセージの内容とは異なり、かつ前記第1のタイマが動作しない場合、前記ユーザ機器は前記第1のメッセージをレポートすることを開始する、請求項7または8に記載の方法。
【請求項１０】
前記ネットワークデバイスが、前記ユーザ機器に第3のメッセージを送信し、前記第3のメッセージは、前記ユーザ機器が前記第1のメッセージをレポートできるかどうかを前記ユーザ機器に通知するために使用される、請求項9に記載の方法。
【請求項１１】
前記第3のメッセージと前記第2のメッセージが同じメッセージである、請求項10に記載の方法。
【請求項１２】
前記ネットワークデバイスは前記ユーザ機器によって送信された第4のメッセージを受信し、前記第4のメッセージは前記ユーザ機器が前記第1のメッセージをサポートするかどうかを示すために使用される指示情報を含む、請求項7から11のいずれか一項に記載の方法。
【請求項１３】
送信器、受信器、およびプロセッサを備える、ユーザ機器であって、前記送信器および前記受信器はバスを使用することによって前記プロセッサに接続され、
前記ユーザ機器における過熱問題が発生し場合、前記送信器はネットワークデバイスに第1のメッセージを送信するよう構成され、前記第1のメッセージは、前記過熱問題が前記ユーザ機器で発生したことを、前記ネットワークデバイスに通知するために使用され、
前記受信器は、前記ネットワークデバイスからのメッセージを受信するよう構成され、前記ネットワークデバイスからのメッセージは、前記ユーザ機器に、以下の動作のうちの少なくとも1つを行うことを指示するために使用され、前記動作は、セカンダリサービングセルを解放すること、および、前記ユーザ機器についてMIMO layerの最大数量を再設定することを含み、
前記プロセッサは、それに応じて前記ネットワークデバイスからのメッセージに従って、セカンダリサービングセルを解放すること、ならびに／または、対応する数量の無線周波数受信リンクおよび対応する数量の無線周波数送信リンクを無効にすることを行うよう構成され、
前記第1のメッセージは支援情報を含み、前記支援情報は、
前記ユーザ機器によってサポートされる設定されたダウンリンクSCellの数量および／もしくは前記ユーザ機器によってサポートされる設定されたアップリンクSCellの数量、または、
各サービングセルに対応する周波数帯域で前記ユーザ機器によってサポートされるダウンリンクMIMO layerの最大数量および／もしくはアップリンクMIMO layerの最大数量
を含むことを特徴とする、
ユーザ機器。
【請求項１４】
前記過熱問題が軽減されたことを前記プロセッサが検出したとき、前記第1のメッセージは支援情報を含まない、請求項13に記載の機器。
【請求項１５】
前記送信器が前記第1のメッセージをレポートするプロセスを開始すると、前記プロセッサは第1のタイマを開始または再開し、
前記第1のタイマの長さは、前記ネットワークデバイスによって前記ユーザ機器について設定される、請求項13または14に記載の機器。
【請求項１６】
前記現在の第1のメッセージの内容が以前にレポートされた第1のメッセージの内容とは異なり、かつ前記第1のタイマが実行しない場合、前記送信器は前記第1のメッセージをレポートすることを開始するよう構成される、請求項15に記載の機器。
【請求項１７】
前記受信器は、前記ネットワークデバイスによって送信された第1の指示情報を受信し、前記第1の指示情報は、前記ユーザ機器が前記第1のメッセージをレポートできるかどうかを前記ユーザ機器に通知するために使用される、請求項13から16のいずれか一項に記載の機器。
【請求項１８】
前記送信器は、前記ネットワークデバイスに第2のメッセージを送信し、前記第2のメッセージは第2の指示情報を含み、前記第2の指示情報は、前記ユーザ機器が前記第1のメッセージをサポートするかどうかを示すために使用される、請求項13から17のいずれか一項に記載の機器。
【請求項１９】
送信器、受信器、およびプロセッサを含むネットワークデバイスであって、前記送信器および前記受信器はバスを使用することによって前記プロセッサに接続され、前記受信器はユーザ機器からの第1のメッセージを受信し、前記第1のメッセージは、過熱問題が前記ユーザ機器で発生したことを、前記ネットワークデバイスに通知するために使用され、
前記送信器は応答メッセージを前記ユーザ機器に送信し、前記応答メッセージは前記ユーザ機器に、以下の動作、すなわちセカンダリサービングセルを解放すること、および前記ユーザ機器についてMIMO layerの最大数量を再設定することのうちの少なくとも1つを行うことを指示するために使用され、
前記第1のメッセージは支援情報を含み、前記支援情報は、
前記ユーザ機器によってサポートされる設定されたダウンリンクSCellの数量および／もしくは前記ユーザ機器によってサポートされる設定されたアップリンクSCellの数量、または、
各サービングセルに対応する周波数帯域で前記ユーザ機器によってサポートされるダウンリンクMIMO layerの最大数量および／もしくはアップリンクMIMO layerの最大数量
を含むことを特徴とする、ネットワークデバイス。
【請求項２０】
前記第1のメッセージが支援情報を含まない場合、前記第1のメッセージは、前記過熱問題が軽減されたことを前記ユーザ機器が検出したことを示し、
前記送信器は前記ユーザ機器に前記応答メッセージを送信し、前記応答メッセージは、セカンダリサービングセルをアクティブ化すること、またはセカンダリサービングセルを追加することを行うよう前記ユーザ機器に命令するために使用される、請求項19に記載のデバイス。
【請求項２１】
前記送信器は、前記ユーザ機器に第2のメッセージを送信し、前記第2のメッセージは第1のタイマの長さ値を含み、
前記送信器が前記第1のメッセージをレポートするプロセスを開始すると、前記ユーザ機器は前記第1のタイマを開始または再開し、前記第1のタイマの機能は以下の通りであり、すなわち、前記現在の第1のメッセージの内容が以前にレポートされた第1のメッセージの内容とは異なり、かつ前記第1のタイマが動作しない場合、前記送信器が前記第1のメッセージをレポートすることを開始する、請求項19または20に記載のデバイス。
【請求項２２】
前記ネットワークデバイスが、前記ユーザ機器に第3のメッセージを送信し、前記第3のメッセージは、前記ユーザ機器が前記第１のメッセージをレポートできるかどうかを前記ユーザ機器に通知するために使用される、請求項21に記載のデバイス。
【請求項２３】
前記第3のメッセージと前記第2のメッセージが同じメッセージである、請求項22に記載のデバイス。
【請求項２４】
前記受信器は前記ユーザ機器によって送信された第4のメッセージを受信し、前記第4のメッセージは前記ユーザ機器が前記第1のメッセージをサポートするかどうかを示すために使用される指示情報を含む、請求項19から23のいずれか一項に記載のデバイス。
【請求項２５】
ユーザ機器とネットワークデバイスとを含む通信システムであって、
前記ユーザ機器は、請求項13から18のいずれか一項に記載のユーザ機器であり、
前記ネットワークデバイスは、請求項19から24のいずれか一項に記載のネットワークデバイスである、通信システム。
【発明の詳細な説明】
【技術分野】
【０００１】
本出願は、2017年1月13日に中国特許庁に提出され、「メッセージ報告方法、装置、および端末用システム」という名称の中国特許出願第201710026111．3号に基づく優先権を主張し、その全体が参照により本明細書に組み入れられる。
【０００２】
本発明は、通信技術の分野に関し、特に、無線リソース設定調整方法、関連する装置、およびシステムに関する。
【背景技術】
【０００３】
現在、端末は、キャリアアグリゲーション（Carrier Aggregation、CA）および多入力多出力（Multiple−Input Multiple−Output、MIMO）を通した高速データ伝送を実装している。キャリアアグリゲーションとは、複数のコンポーネントキャリア（Component Carrier、CC）をまとめて伝送広帯域化し、データ伝送速度を向上させることを意味する。MIMOとは、複数の無線周波数受信リンクと複数の無線周波数送信リンクが使用され伝送チャネル容量を増加させることによって、データ伝送速度を増加させることを意味する。
【０００４】
3GPP規格が進化するにつれて、端末に対応するキャリアアグリゲーション能力およびMIMO能力は、2CC＋2MIMOから3CC＋4MIMOへ、4CC＋4MIMOへと絶えず向上し、対応するデータ伝送速度は絶えず増している。
【０００５】
高速データ伝送中は端末の消費電力が増加し続け、その結果端末の温度が上昇する。加熱試験データは、3CC＋4＊4MIMOでは、端末の温度が10分以内に約53°Cに上昇し、そして端末の温度が約1時間以内に70°Cから80°Cに上昇することを示している。端末上で冷却処理が行われない場合、ユーザがやけどするか、端末が動作を停止する。高速データ伝送により端末が過熱問題に遭遇した場合、データ伝送速度を下げ、それによって端末の温度を下げるために、端末に対応するキャリアアグリゲーション設定またはMIMO設定が低減される必要がある。
【０００６】
従来技術では、端末の過熱問題を軽減するために、端末のキャリアアグリゲーション設定またはMIMO設定が以下の2つの解決策を使用することによって低減される。
【０００７】
第1の解決策は以下のステップを含む。
【０００８】
Step 1：端末の温度が臨界値に達すると、端末はデタッチ（detach）プロセスを開始し、ネットワークから退出する。
【０００９】
Step 2：端末は、アタッチ（re−attach）プロセスを開始し、ネットワークにアクセスし、端末が現在キャリアアグリゲーション機能またはMIMO機能をサポートできないことをネットワークデバイスにレポートする。
【００１０】
Step 3：端末はネットワークデバイスの設定情報を受信し、単一のCCまたは単一MIMOを介して一定期間動作する。熱の問題が緩和された後、端末はdetachdプロセスを開始し、ネットワークから退出する。
【００１１】
Step 4：端末は、re−attachプロセスを開始し、ネットワークにアクセスし、端末によって現在サポートされるキャリアアグリゲーション機能またはMIMO機能をネットワークデバイスにレポートする。
【００１２】
Step 5：端末は、ネットワークデバイスのキャリアアグリゲーション設定情報またはMIMO設定情報を受信し、複数のCCまたはマルチMIMOを介して動作する。
【００１３】
第1の解決策では、端末によってサポートされるキャリアアグリゲーション設定またはMIMO設定が変わるので、端末は、ネットワークから出た後にネットワークに再登録し、キャリアアグリゲーション設定またはMIMO設定を調整し、それによって冷却目的を達成する必要がある。第1の解決策では、ネットワークから退出することは、端末のユーザエクスペリエンスが乏しい原因となる。
【００１４】
第2の解決策では、端末が過度に高いキャリアアグリゲーション設定による過熱問題に遭遇した場合、第2の解決策は以下のステップを含み得る。
【００１５】
Step 1：端末の温度が臨界値に達すると、端末側は特定の数量のセカンダリサービングセル（Secondary Cell、Scell）を積極的に非アクティブにする。端末は、非アクティブ化されたSCellに対応するコンポーネントキャリア上で、チャネル品質インジケータ（channel quality indication、CQI）が0に等しいことを報告し、対応する非アクティブ化されたSCellをネットワークデバイス側に通知する。
【００１６】
Step 2：端末の温度が低下すると、端末側は特定数量のSCellを積極的にアクティブ化する。
【００１７】
第2の解決策は以下の欠点を有する。
【００１８】
欠点1：第2の解決策は3GPP規格に違反している。標準規格では、端末がSCellをローカルにアクティブ化／非アクティブ化することはできず、システム側のネットワークデバイスの命令によってのみSCellをアクティブ化／非アクティブ化することができると規定されている。
【００１９】
欠点2：端末が、CQIが0に等しいことをレポートするとき、システム側のネットワークデバイスはおそらくスケジューリングを実行することができない。その結果、ネットワーク互換性の問題が発生する。3GPP規格は、SCellのアクティブ化／非アクティブ化がシステム側によって決定されることを規定しているが、ネットワークデバイスによってSCellをいつアクティブ化／非アクティブ化するかについては規定していない。SCellをいつアクティブ化／非アクティブ化するかは、システム側のベンダー（普通は端末の負荷に関連する）によって決定され、異なるベンダーは異なるアルゴリズムを有している。端末がCQIが0に等しいとレポートした場合、ネットワークデバイス側はおそらく対応するSCellを非アクティブ化することができず、端末側は対応するSCellを積極的に非アクティブ化する。その結果、ネットワーク互換性の問題が発生する。
【００２０】
欠点3：端末がSCellをローカルに非アクティブし、その結果、ネットワークデバイス側がおそらくSCellを非アクティブ化できない場合、ダウンリンクパケット損失が発生し、アクティブ化から非アクティブ化、次にアクティブ化までのサイクルの欠点の原因となり、熱軽減の目的を達成できない。
【発明の概要】
【００２１】
本出願の実施形態は、端末の無線リソース設定を調整することによって端末の過熱問題を解決するための無線リソース設定調整方法、関連装置、およびシステムを提供する。
【課題を解決するための手段】
【００２２】
第1の態様によれば、本出願の一実施形態は無線リソース設定調整方法を提供する。本方法は、ユーザ機器によって過熱問題または過熱問題が軽減されたことを検出し、ユーザ機器によってネットワークデバイスに第1のメッセージを送信するステップであって、第1のメッセージは、過熱問題がユーザ機器で発生したこと、または過熱問題が軽減されたことを、ネットワークデバイスに通知するために使用される、ステップと、ネットワークデバイスによって送信された応答メッセージをユーザ機器によって受信するステップであって、応答メッセージは、ユーザ機器に以下の動作のうちの1つを行うことを命令するために使用され、当該動作は、セカンダリサービングセル（Secondary Cell、SCell）を非アクティブ化すること、セカンダリサービングセルをアクティブ化すること、セカンダリサービングセルを解放すること、およびセカンダリサービングセルを追加することを含む、ステップと、ユーザ機器によって、応答メッセージに従って、セカンダリサービングセルを非アクティブ化すること、またはセカンダリサービングセルをアクティブ化すること、またはセカンダリサービングセルを解放すること、またはセカンダリサービングセルを追加することを行うステップと、を含む。
【００２３】
第1の態様を参照すると、任意選択で、ユーザ機器が過熱問題を検出したとき、第1のメッセージは支援情報を含み、当該支援情報は、ユーザ機器によってサポートされるアクティブ状態のダウンリンクSCellの数量、および／またはユーザ機器によってサポートされるアクティブ状態のアップリンクSCellの数量を含む。
【００２４】
第1の態様および前述の可能な実装形態のいずれか1つを参照すると、過熱問題が軽減されたことをユーザ機器が検出したとき、第1のメッセージは支援情報を含まない。
【００２５】
第1の態様を参照すると、任意選択で、ユーザ機器が第1のメッセージをレポートするプロセスを開始すると、ユーザ機器は第1のタイマを開始または再開し、当該第1のタイマの長さは、ネットワークデバイスによってユーザ機器について設定される。
【００２６】
第1の態様を参照すると、任意選択で、現在の第1のメッセージの内容が以前にレポートされた第1のメッセージの内容とは異なり、かつ第1のタイマが動作しない場合、ユーザ機器は第1のメッセージをレポートすることを開始する。
【００２７】
第1の態様を参照すると、任意選択で、ユーザ機器は、ネットワークデバイスによって送信された第1の指示情報を受信し、当該第1の指示情報は、ユーザ機器が第1のメッセージをレポートできるかどうかをユーザ機器に通知するために使用される。
【００２８】
第1の態様を参照すると、任意選択で、ユーザ機器はネットワークデバイスに第2のメッセージを送信し、当該第2のメッセージは第2の指示情報を含み、第2の指示情報はユーザ機器が第1のメッセージをサポートするかどうかを示すために使用される。
【００２９】
第2の態様によれば、本発明の一実施形態は、ユーザ機器によって送信された第1のメッセージをネットワークデバイスによって受信するステップであって、当該第1のメッセージは、過熱問題がユーザ機器で発生したこと、または過熱問題が軽減されたことを、ネットワークデバイスに通知するために使用される、ステップと、ネットワークデバイスによってユーザ機器に応答メッセージを送信するステップであって、当該応答メッセージはユーザ機器に、以下の動作、すなわちセカンダリサービングセルを非アクティブ化すること、セカンダリサービングセルをアクティブ化すること、セカンダリサービングセル解放すること、およびセカンダリサービングセルを追加すること、のうちのいずれか1つを行うことを命令するために使用される、ステップと、を含む無線リソース設定調整方法を提供する。
【００３０】
第2の態様を参照すると、任意選択で、第1のメッセージが支援情報を含む場合、第1のメッセージは、ユーザ機器が過熱問題を検出したことを示す。支援情報は、ユーザ機器によってサポートされるアクティブ状態のダウンリンクSCellの数量、および／またはユーザ機器によってサポートされるアクティブ状態のアップリンクSCellの数量を含む。ネットワークデバイスは、ユーザ機器に応答メッセージを送信し、当該応答メッセージは、セカンダリサービングセルを非アクティブ化すること、またはセカンダリサービングセルを解放することを行うよう、ユーザ機器に命令するために使用される。
【００３１】
第2の態様を参照すると、任意選択で、第1のメッセージが支援情報を含まない場合、第1のメッセージは、ユーザ機器が、過熱問題が軽減されたことを検出したことを示す。ネットワークデバイスは、ユーザ機器に応答メッセージを送信し、当該応答メッセージは、セカンダリサービングセルをアクティブ化すること、またはセカンダリサービングセルを追加することを行うよう、ユーザ機器に命令するために使用される。
【００３２】
第2の態様を参照すると、任意選択で、ネットワークデバイスはユーザ機器に第2のメッセージを送信し、当該第2のメッセージは第1のタイマの長さ値を含む。ユーザ機器が第1のメッセージをレポートするプロセスを開始すると、ユーザ機器は第1のタイマを開始または再開する。第1のタイマの機能は以下の通りである。すなわち、現在の第1のメッセージの内容が以前にレポートされた第1のメッセージの内容とは異なり、かつ第1のタイマが動作しない場合、ユーザ機器は第1のメッセージをレポートすることを開始する。
【００３３】
第2の態様を参照すると、任意選択で、ネットワークデバイスはユーザ機器に第3のメッセージを送信し、当該第3の指示情報は、ユーザ機器が過熱問題をレポートできるかどうかをユーザ機器に通知するために使用される。
【００３４】
第2の態様を参照すると、任意選択で、第3のメッセージと第2のメッセージは同じメッセージである。
【００３５】
第2の態様を参照すると、任意選択で、ネットワークデバイスはユーザ機器によって送信された第4のメッセージを受信し、当該第4のメッセージはユーザ機器が第1のメッセージをサポートするかどうかを示すために使用される指示情報を含む。
【００３６】
第3の態様によれば、本発明の一実施形態は、送信器、受信器、およびプロセッサを含むユーザ機器を提供する。送信器および受信器はバスを使用することによってプロセッサに接続される。プロセッサは過熱問題または過熱問題が軽減されたことを検出し、送信器は第1のメッセージをネットワークデバイスに送信し、当該第1のメッセージは、過熱問題がユーザ機器で発生したこと、または過熱問題が軽減されたことを、ネットワークデバイスに通知するために使用される。受信器は、ネットワークデバイスによって送信された応答メッセージを受信し、当該応答メッセージは、ユーザ機器に、以下の動作のうちの1つを行うことを命令するために使用され、当該動作は、セカンダリサービングセル（Secondary Cell、SCell）を非アクティブ化すること、セカンダリサービングセルをアクティブ化すること、セカンダリサービングセルを解放すること、およびセカンダリサービングセルを追加することを含む。プロセッサは、それに応じて応答メッセージに従って、セカンダリサービングセルを非アクティブ化すること、またはセカンダリサービングセルをアクティブ化すること、またはセカンダリサービングセルを解放すること、またはセカンダリサービングセルを追加することを行う。
【００３７】
第3の態様を参照すると、任意選択で、プロセッサが過熱問題を検出したとき、第1のメッセージは支援情報を含む。支援情報は、ユーザ機器によってサポートされるアクティブ状態のダウンリンクSCellの数量、および／またはユーザ機器によってサポートされるアクティブ状態のアップリンクSCellの数量を含む。
【００３８】
第3の態様を参照すると、任意選択で、プロセッサが過熱問題が軽減されたことを検出したとき、第1のメッセージは支援情報を含まない。
【００３９】
第3の態様を参照すると、任意選択で、送信器が第1のメッセージをレポートするプロセスを開始すると、プロセッサは第1のタイマを開始または再開し、当該第1のタイマの長さは、ネットワークデバイスによってユーザ機器について設定される。
【００４０】
第3の態様を参照すると、任意選択で、現在の第1のメッセージの内容が以前にレポートされた第1のメッセージの内容とは異なり、かつ第1のタイマが動作しない場合、送信器は第1のメッセージをレポートすることを開始する。
【００４１】
第3の態様を参照すると、任意選択で、受信器は、ネットワークデバイスによって送信された第1の指示情報を受信し、当該第1の指示情報は、ユーザ機器が第1のメッセージをレポートできるかどうかをユーザ機器に通知するために使用される。
【００４２】
第3の態様を参照すると、任意選択で、送信器はネットワークデバイスに第2のメッセージを送信し、当該第2のメッセージは第2の指示情報を含み、第2の指示情報はユーザ機器が第1のメッセージをサポートするかどうかを示すために使用される。
【００４３】
第4の態様によれば、本発明の一実施形態は、送信器、受信器、およびプロセッサを含むネットワークデバイスを提供する。送信器および受信器はバスを使用することによってプロセッサに接続される。受信器は、ユーザ機器によって送信された第1のメッセージを受信し、当該第1のメッセージは、ユーザ機器で過熱問題が発生したこと、または過熱問題が軽減されたことを、ネットワークデバイスに通知するために使用される。送信器は、ユーザ機器に応答メッセージを送信し、当該応答メッセージは、ユーザ機器に、以下の動作、すなわち、セカンダリサービングセルを非アクティブ化すること、セカンダリサービングセルをアクティブ化すること、セカンダリサービングセルを解放すること、およびセカンダリサービングセルを追加すること、のうちのいずれか1つを行うことを命令するために使用される。
【００４４】
第4の態様を参照すると、任意選択で、第1のメッセージが支援情報を含む場合、第1のメッセージは、ユーザ機器が過熱問題を検出したことを示す。支援情報は、ユーザ機器によってサポートされるアクティブ状態のダウンリンクSCellの数量、および／またはユーザ機器によってサポートされるアクティブ状態のアップリンクSCellの数量を含む。送信器は、ユーザ機器に応答メッセージを送信し、当該応答メッセージは、セカンダリサービングセルを非アクティブ化すること、またはセカンダリサービングセルを解放することを行うようユーザ機器に命令するために使用される。
【００４５】
第4の態様を参照すると、任意選択で、第1のメッセージが支援情報を含まない場合、第1のメッセージは、過熱問題が軽減されたことをユーザ機器が検出したことを示し、送信器がユーザ機器に応答メッセージを送信し、当該応答メッセージは、セカンダリサービングセルをアクティブ化すること、またはセカンダリサービングセルを追加することを行うよう、ユーザ機器に命令するために使用される。
【００４６】
第4の態様を参照すると、任意選択で、送信器はユーザ機器に第2のメッセージを送信し、当該第2のメッセージは第1のタイマの長さ値を含む。送信器が第1のメッセージをレポートするプロセスを開始すると、ユーザ機器は第1のタイマを開始または再開する。第1のタイマの機能は以下の通りである。すなわち、現在の第1のメッセージの内容が以前にレポートされた第1のメッセージの内容とは異なり、かつ第1のタイマが動作しない場合、送信器は第1のメッセージをレポートすることを開始する。
【００４７】
第4の態様を参照すると、任意選択で、ネットワークデバイスはユーザ機器に第3のメッセージを送信し、当該第3の指示情報は、ユーザ機器が過熱問題をレポートできるかどうかをユーザ機器に通知するために使用される。
【００４８】
第4の態様を参照すると、任意選択で、第3のメッセージと第2のメッセージは同じメッセージである。
【００４９】
第4の態様を参照すると、任意選択で、受信器はユーザ機器によって送信された第4のメッセージを受信し、当該第4のメッセージはユーザ機器が第1のメッセージをサポートするかどうかを示すために使用される指示情報を含む。
【００５０】
第5の態様によれば、本発明の一実施形態は、ユーザ機器およびネットワークデバイスを含む通信システムを提供し、当該ユーザ機器は、第3の態様における任意のユーザ機器で、当該ネットワークデバイスは、第4の態様における任意のネットワークデバイスである。
【００５１】
第6の態様によれば、コンピュータ可読記憶媒体が提供される。可読記憶媒体は、第1の態様で説明された無線リソース設定方法を実施するために使用されるプログラムコードを格納する。プログラムコードは、第1の態様で説明された無線リソース設定方法を実行するために使用される実行命令を含む。
【００５２】
第7の態様によれば、コンピュータ可読記憶媒体が提供される。可読記憶媒体は、第2の態様で説明された無線リソース設定方法を実施するために使用されるプログラムコードを格納する。プログラムコードは、第2の態様で説明された無線リソース設定方法を実行するために使用される実行命令を含む。
【００５３】
第8の態様によれば、本出願は命令を含むコンピュータプログラム製品を提供する。コンピュータプログラム製品がコンピュータ上で実行されるとき、コンピュータは、第1の態様で説明された無線リソース設定方法を実行することが可能にされる。
【００５４】
第9の態様によれば、本出願は命令を含むコンピュータプログラム製品を提供する。コンピュータプログラム製品がコンピュータ上で実行されるとき、コンピュータは、第2の態様で説明された無線リソース設定方法を実行することが可能にされる。
【００５５】
本発明の実施形態によれば、端末に過熱問題が発生した場合、端末はネットワークデバイスの命令に応じて、ネットワークを切断することなく、かつ標準の規定に従って無線リソース設定を削減することができ、それによって過熱問題を軽減することができる。過熱問題が軽減されると、端末は、ネットワークデバイスの命令に応じて、ネットワークを切断することなく、標準の規定に従って、無線リソース設定を増やすことができ、それによって高速データ伝送を実施することができる。
【００５６】
本発明の実施形態または背景技術の技術的解決策をより明確に説明するために、以下では本発明の実施形態または背景を説明するのに必要な添付図面を簡単に説明する。
【図面の簡単な説明】
【００５７】
【図１】本出願における通信システムのアーキテクチャの概略図である。
【図１Ａ】本出願における3つのキャリアアグリゲーションタイプの概略図である。
【図２】本出願における端末のアーキテクチャの概略図である。
【図３】本出願におけるネットワークデバイスのアーキテクチャの概略図である。
【発明を実施するための形態】
【００５８】
以下では、本発明の実施形態の添付の図面を参照しながら、本発明の実施形態を説明する。
【００５９】
図1は、本出願における通信システム100のアーキテクチャの概略図である。通信システムは、ネットワークデバイス110と端末120とを含み得る。ネットワークデバイス110と端末120は、エアインタフェース技術を用いて互いに通信する。エアインタフェース技術は、既存の2G（例えば、グローバル移動体通信システム（Global System for Mobile Communications、GSM（登録商標））、3G（例えば、ユニバーサル移動体通信システム（Universal Mobile Telecommunications System、UMTS）、広帯域符号分割多元接続（Wideband Code Division Multiple Access、WCDMA（登録商標））、および時分割同期符号分割多元接続（Time Division−Synchronous Code Division Multiple Access、TD−SCDMA））、4G（例えば、FDD LTEおよびTDD LTE）、ならびに例えば、次期4．5Gおよび5Gなどの新しい無線アクセス技術（New Radio Access Technology、New RAT）を含むことができる。
【００６０】
ネットワークデバイス110は、端末120と通信するように構成されたデバイスであり得る。ネットワークデバイスは、GSM（登録商標）またはCDMAではBTS（Base Transceiver Station）、WCDMA（登録商標）ではNB（NodeB）、LTEでは進化型ノードB（evolved Node B、eNB）で、中継局、車載デバイス、ウェアラブルデバイス、将来の5Gネットワークにおけるアクセスネットワークデバイス、将来の進化型公衆陸上移動体ネットワーク（Public Land Mobile Network、PLMN）などにおけるアクセスネットワークデバイスなどであり得る。
【００６１】
端末120はリレー（Relay）を含むことができ、基地局とデータ通信を実行することができる任意のデバイスが端末と見なされ得る。端末120は、携帯電話、コードレス電話機、セッション開始プロトコル（Session Initiation Protocol、SIP）電話、無線ローカルループ（Wireless Local Loop、WLL）ステーション、携帯情報端末（Personal Digital Assistant、PDA）、無線通信機能を有するハンドヘルドデバイス、無線モデムに接続されたコンピューティングデバイスまたは他の処理デバイス、車載デバイス、ウェアラブルデバイス、将来の5Gネットワークにおける移動局、将来的に進化する端末デバイスPLMNなどとすることができる。
【００６２】
現在、通信システム100は、キャリアアグリゲーションCAおよびMIMOを介してより高いデータ伝送速度を実施することができる。以下では、2つの技術について簡単に説明する。
【００６３】
キャリアアグリゲーションは、ネットワークデバイスと端末との間のデータ伝送速度を高めるために、複数の隣接または非隣接コンポーネントキャリアが同一セル内のより広い仮想周波数帯域に集約されることを意味する。キャリアアグリゲーションは、アグリゲートコンポーネントキャリアの周波数帯域（band）に基づいて3つのタイプに分類され得る。すなわち、帯域内隣接（intra−band contiguous）キャリアアグリゲーション、帯域内非隣接（intra−band non−contiguous）キャリアアグリゲーション、および帯域間非隣接（inter−band non−contiguous）キャリアアグリゲーションである。
【００６４】
図1Aに示すように、第1のグラフは、同一周波数帯域（band）上で隣接コンポーネントキャリアを集約することによって帯域内隣接キャリアアグリゲーションが実施されることを示し、第2のグラフは、同じ周波数帯域上の隣接していないコンポーネントキャリア集約することによって帯域内非隣接キャリアアグリゲーションが実施されることを示し、および第3のグラフは、異なる周波数帯域上のコンポーネントキャリアを集約することによって帯域間非隣接キャリアアグリゲーションが実施されることを示す。
【００６５】
キャリアアグリゲーションをサポートする端末の場合、1つの端末は1つのサービングセル（serving cell）セットに対応する。サービングセルセットは、端末に対応する1つのプライマリセル（Primary Cell、Pcell）と複数のセカンダリセル（Secondary Cell、Scell）とを含み、PCellとSCellの両方をサービングセルと呼ぶことがある。PCellは、端末が最初にアクセスするセルであり、接続確立（connection establishment）中に決定され、端末とネットワークデバイスとの間の通信のための主セルであり、（PCellと端末間のRRC通信を担当する）RRCシグナリングを送信するように設定される。
【００６６】
無線リソース制御（Radio Resource Control、RRC）接続が確立された後、ネットワークデバイスは、RRCConnectionReconfiguration（RRCConnectionReconfiguration）メッセージを使用して、SCellを追加（add）するように端末に命令すること、言い換えれば、追加の無線リソースを提供するために、端末にSCellを設定するように命令することができる。同様に、ネットワークデバイスは、RRCConnectionReconfigurationメッセージを使用することによって、サービングセルセットのSCellを解放するように端末に命令すること、言い換えれば、SCellを設定するように端末に命令することができる。端末側に対応して、ネットワークデバイス側も同様にSCellを設定または設定解除することが理解されうる。SCellを設定または設定解除した後、ネットワークデバイス側は、対応するSCellを設定または設定解除するように端末に命令する必要がさらにあり、それによってネットワーク互換性が実装される。
【００６７】
1つのサービングセル（PCellまたはSCell）は1つのコンポーネントキャリアに対応する。端末にサービングセルが設定されている場合、サービングセルにサービングセルインデックス値が割り当てられ、PCellのサービングセルインデックス値は常に0となる。
【００６８】
端末のPCellは常にアクティブ状態のままであり、SCellが端末に対応するサービングセルセットに追加（設定）されると、SCellは非アクティブ状態になる。必要に応じて、端末はネットワークデバイスの命令に従ってサービングセルセットのSCellをアクティブ化または非アクティブ化することができ、端末はサービングセルセットのSCellを積極的にアクティブ化または非アクティブ化することができない。端末側に対応して、ネットワークデバイス側も同様にSCellをアクティブ化または非アクティブ化することが理解されうる。SCellをアクティブ化または非アクティブ化した後、ネットワークデバイス側はさらに、対応するSCellをアクティブ化または非アクティブ化するように端末に命令する必要があり、それによってネットワーク互換性が実装される。
【００６９】
具体的には、端末に対応するSCellがアクティブ状態にあるとき、端末はSCellに対応するコンポーネントキャリア上でデータを送受信することができる。さらに、端末に対応するアップリンクSCellがアクティブ状態にあるとき、端末はSCellに対応するコンポーネントキャリア上でデータを送信することができる。端末に対応するダウンリンクSCellがアクティブ状態にあるとき、端末はSCellに対応するコンポーネントキャリア上でデータを受信することができる。
【００７０】
端末に対応するアクティブ状態SCellがより多いということは、端末のより高いキャリアアグリゲーション設定およびより速いデータ伝送速度を示すことが理解されうる。
【００７１】
端末がより多くのSCellを設定するとき、端末はより多くのSCellをアクティブにすることができることが理解されうる。これは、端末に対応するアップリンク状態SCellの数量を間接的に増やすことと同等である。したがって、端末により設定されるSCellがより多いことは、端末のより高いキャリアアグリゲーション設定およびより速いデータ伝送速度を示す。
【００７２】
MIMOとは、ネットワークデバイス側と端末側でそれぞれ複数の無線周波数送信リンクと複数の無線周波数受信リンクを用いてデータを送受信し、スペクトルリソースとアンテナ送信電力を増やすことなくチャネル容量を増やすことを意味し、これにより、ネットワークデバイスと端末との間のデータ伝送速度が増大する。
【００７３】
端末にとって、1つのMIMOレイヤ（MIMO layer）は、1対の無線周波数受信リンクと無線周波数送信リンクに対応する。現在の規格では、端末がサポートされているMIMOレイヤの最大数量をレポートした後、端末は無線周波数受信リンクと無線周波数送信リンクを有効にする必要があり、無線周波数受信リンクと無線周波数送信リンクの数量は少なくともサポートされているMIMOレイヤの数量に等しい。ネットワークデバイスは、異なるMIMOレイヤを使用することによってデータを送受信するように、異なる時間に端末をスケジュールする。
【００７４】
1つの端末に対応するMIMOレイヤの最大数量がより多いほど、端末のMIMO設定がより高く、データ伝送速度がより速いことを示すことが理解されうる。
【００７５】
図1に示す通信システムでは、キャリアアグリゲーションとMIMOにより高速データ伝送が実施されている。高速データ伝送中に端末が動作すると、端末は過熱問題に遭遇する。この場合、端末の過熱問題を解決するために、端末のキャリアアグリゲーション設定またはMIMO設定を減らして端末のデータ伝送速度が遅くされる必要がある。端末の過熱問題が軽減された後、キャリアアグリゲーション設定またはMIMO設定は、可能な限り高いデータ伝送速度を実施するために増加される必要がある。
【００７６】
従来技術では、端末の無線リソース設定は、ネットワークから退出してネットワークに再登録することによって、または端末側によってSCellを積極的に非アクティブ化することによって削減される。しかしながら、ネットワーク退出プロセスおよびネットワーク登録プロセスは、端末のネットワーク切断を引き起こす可能性があり、その結果、ユーザエクスペリエンスは乏しくなる。さらに、端末側によりSCellを積極的に無効にすることは、3GPP規格の関連規定に違反する。したがって、関連する標準規格が遵守され、端末のネットワーク接続が確保された状態で、端末の過熱問題を軽減するために端末の無線リソース設定をどのように低減するかは、解決されるべき緊急の問題である。
【００７７】
図2を参照すると、図2は、本出願のいくつかの実施形態による端末10を示す。端末10は、図1に示される通信システムにおける端末120として実装され得る。図2に示すように、端末10は、入出力モジュール（音声入出力モジュール118、キー入力モジュール116、ディスプレイ120などを含む）、ユーザインタフェース102、1つ以上の端末プロセッサ104、送信器106、受信器108、カプラ110、アンテナ114、およびメモリ112を含むことができる。これらのコンポーネントはバスまたは他の方法を用いて接続されることができ、図2ではバスを用いた接続が一例として用いられている。
【００７８】
通信インタフェース101は、他の端末デバイスまたは基地局などの他の通信デバイスと通信するために端末10によって使用されてもよい。
【００７９】
アンテナ114は、伝送回線の電磁エネルギーを自由空間の電磁波に変換するように、または自由空間の電磁波を伝送回線の電磁エネルギーに変換するように構成され得る。図2では、端末には、MIMO機能をサポートするために複数のアンテナが設けられる。カプラ110は、アンテナ114によって受信された通信信号を複数の信号に分割し、複数の信号を複数の受信器108に割り当てるように構成される。
【００８０】
送信器106は、端末プロセッサ104によって出力される信号を送信するように構成され得る。
【００８１】
受信器108は、アンテナ114によって受信された信号を受信するように構成され得る。
【００８２】
本出願のいくつかの実施形態では、送信器106および受信器108は無線モデムと見なされ得る。端末10には1つ以上の送信器106および受信器108があり得る。
【００８３】
図2に示される送信器106および受信器108に加えて、端末10は、GPSモジュール、ブルートゥース（登録商標）（Bluetooth（登録商標））モジュール、および無線フィデリティ（Wireless Fidelity、Wi−Fi）モジュールなどの他の通信コンポーネントもさらに含み得る。
【００８４】
入出力モジュールは、端末10とユーザ／外部環境との間の対話を実施するように構成されてもよく、主に音声入出力モジュール118、キー入力モジュール116、ディスプレイ120などを含み得る。特定の実装形態では、入出力モジュールは、カメラ、タッチスクリーン、センサなどをさらに含み得る。すべての入出力モジュールは、ユーザインタフェース102を用いて端末プロセッサ104と通信する。
【００８５】
メモリ112は、端末プロセッサ104に結合されており、様々なソフトウェアプログラムおよび／または複数の命令セットを格納するように構成されている。特定の実装形態では、メモリ112は、高速ランダムアクセスメモリを含むことができ、または1つ以上の磁気ディスク記憶デバイス、フラッシュメモリデバイス、または他の不揮発性固体記憶デバイスなどの不揮発性メモリを含むことができる。メモリ112は、オペレーティングシステム（これ以後、システムと呼ぶ）、例えば、Android、iOS、Windows、またはLinux（登録商標）などの組込みオペレーティングシステムを格納することができる。メモリ112は、ネットワーク通信プログラムをさらに格納してもよい。ネットワーク通信プログラムは、1つ以上の補助デバイス、1つ以上の端末デバイス、および1つ以上のネットワークデバイスと通信するために使用されてもよい。メモリ112は、ユーザインタフェースプログラムをさらに格納してもよい。ユーザインタフェースプログラムは、グラフィカルオペレーションインタフェースを用いてアプリケーションプログラムの内容を鮮明に表示し、メニュー、ダイアログボックス、またはボタンなどの入力制御を用いてアプリケーションプログラムに対するユーザによる制御操作を受け付けることができる。
【００８６】
本出願のいくつかの実施形態では、メモリ112は、本出願の1つ以上の実施形態による無線リソース設定調整方法を端末10側で実施するためのプログラムを格納するように構成され得る。本出願の1つ以上の実施形態において提供される無線リソース設定調整方法の実施については、以下の実施形態を参照されたい。
【００８７】
端末プロセッサ104は、コンピュータ可読命令を読み取って実行するように構成され得る。具体的には、端末プロセッサ14は、メモリ112に格納されたプログラム、例えば、本出願の1つ以上の実施形態による端末10側で無線リソース設定調整方法を実施するためのプログラムを呼び出し、プログラムに含まれる命令を実行するように構成され得る。
【００８８】
図2に示される端末10は、単に本発明の実施形態の一実装形態であることに留意されたい。実際の用途では、端末10はさらに多くのまたは少ないコンポーネントを含んでもよい。これは本明細書に限定されない。
【００８９】
図3を参照すると、図3は、本出願のいくつかの実施形態によるネットワークデバイス20を示す。ネットワークデバイス20は、図1に示される通信システムにおけるネットワークデバイス110として実装され得る。図3に示されるように、ネットワークデバイス20は、通信インタフェース203、1つ以上のネットワークデバイスプロセッサ201、送信器207、受信器209、カプラ211、アンテナ213、およびメモリ205を含むことができる。これらのコンポーネントはバスまたは他の方法を用いて接続されることができ、図3ではバスを用いた接続が一例として用いられている。
【００９０】
通信インタフェース203は、他の端末または他のネットワークデバイスなどの他の通信デバイスと通信するためにネットワークデバイス20によって使用されてもよい。特定の実装形態では、通信インタフェース203は、LTE（4G）通信インタフェース、または5Gあるいは将来の新しい無線通信インタフェースなどのネットワーク通信インタフェースとすることができる。通信インタフェースは無線通信インタフェースに限定されない。ネットワークデバイス20は、有線通信をサポートするための有線通信インタフェースをさらに備え得る。例えば、ネットワークデバイス20間のバックホールリンクは有線通信接続である。
【００９１】
アンテナ213は、伝送回線の電磁エネルギーを自由空間の電磁波に変換するように、または自由空間の電磁波を伝送回線の電磁エネルギーに変換するように構成され得る。図3では、ネットワークデバイス20は、MIMO機能をサポートするために複数のアンテナ付きで提供される。カプラ211は、通信信号を複数の信号に分割し、複数の信号を複数の受信器209に割り当てるように構成され得る。
【００９２】
送信器207は、ネットワークデバイスプロセッサ201によって出力された信号を送信し、他のネットワークデバイスまたは他の端末に信号を送信するように構成され得る。受信器209は、アンテナ213によって受信された信号を受信し、他のネットワークデバイスまたは他の端末によって送信された信号を受信するように構成され得る。本出願のいくつかの実施形態では、送信器207および受信器209は無線モデムと見なされ得る。ネットワークデバイス20には1つ以上の送信器207および受信器209があり得る。
【００９３】
メモリ205は、ネットワークデバイスプロセッサ201に結合され、様々なソフトウェアプログラムおよび／または複数の命令セットを格納するように構成される。特定の実装形態では、メモリ205は、高速ランダムアクセスメモリを含むことができ、または1つ以上の磁気ディスク記憶デバイス、フラッシュメモリデバイス、または他の不揮発性固体記憶デバイスなどの不揮発性メモリを含むことができる。メモリ205は、オペレーティングシステム（これ以後、システムと呼ぶ）、例えば、uCOS、VxWorks、またはRTLinuxなどの組込みオペレーティングシステムを格納することができる。メモリ205は、ネットワーク通信プログラムをさらに格納してもよい。ネットワーク通信プログラムは、1つ以上の補助デバイス、1つ以上の端末デバイス、および1つ以上のネットワークデバイスと通信するために使用されてもよい。
【００９４】
本出願のいくつかの実施形態では、メモリ205は、本出願の1つ以上の実施形態による無線リソース設定調整方法をネットワークデバイス20側で実施するためのプログラムを格納するように構成され得る。本出願の1つ以上の実施形態において提供される無線リソース設定調整方法の実施については、後述の実施形態を参照されたい。
【００９５】
ネットワークデバイスプロセッサ201は、無線チャネル管理、発呼、通信リンク確立および切断、現在の制御エリアのユーザ機器のセルハンドオーバ制御などを実行するように構成され得る。特定の実施では、ネットワークデバイスプロセッサ201は、管理モジュール／通信モジュール（Administration Module／Communication Module、AM／CM）（音声チャネル切り替えおよび情報交換のためのセンタ）、基本モジュール（Basic Module、BM）（呼処理、シグナリング処理、無線リソース管理、無線リンク管理、および回線保守機能を完了するように構成されている）、トランスコーダおよびサブマルチプレクサ（Transcoder and Submultiplexer、TCSM）（多重化／逆多重化およびトランスコーディング機能を完了するように構成されている）などを含み得る。
【００９６】
本発明のこの実施形態では、ネットワークデバイスプロセッサ201は、コンピュータ可読命令を読み取って実行するように構成され得る。具体的には、ネットワークデバイスプロセッサ201は、メモリ205に格納されたプログラム、例えば、本出願の1つ以上の実施形態によるネットワークデバイス20側で無線リソース設定調整方法を実施するためのプログラムを呼び出し、プログラムに含まれる命令を実行するように構成され得る。
【００９７】
特定の実装形態において、ネットワークデバイス20は、基地トランシーバ局、無線トランシーバ、基本サービスセット（BSS）、拡張サービスセット（ESS）、NodeB、eNodeBなどとして実装され得る。ネットワークデバイス20は、マクロ基地局またはミクロ基地局などのいくつかの異なるタイプの基地局として実装され得る。ネットワークデバイス20は、セル無線アクセス技術またはWLAN無線アクセス技術などの異なる無線技術をサポートしてもよい。
【００９８】
図3に示されるネットワークデバイス20は、単に本発明の実施形態の一実装形態であることに留意されたい。実際の用途では、ネットワークデバイス20はさらに多くのまたは少ないコンポーネントを含んでもよい。これは本明細書に限定されない。
【００９９】
通信システム100、端末10、およびネットワークデバイス20におけるアプリケーションシナリオに基づいて、本発明の一実施形態は、端末がキャリアアグリゲーションまたはMIMOによる高速データ伝送を実施するので、過熱問題が発生した場合に端末の過熱問題を軽減するための無線リソース設定調整方法を提供する。
【０１００】
本出願の主な発明原理は以下の通りであり得る。
【０１０１】
過熱問題が発生すると、端末は、端末の無線リソース設定を減らすようにネットワークデバイスに要求するために使用されるメッセージをネットワークデバイスにレポートする。それに対応して、メッセージを受信した後、ネットワークデバイスは、端末に無線リソース設定を減らすように命令するために使用されるメッセージを端末に送信する。それに対応して、ネットワークデバイスによって送信されたメッセージを受信した後、端末は過熱問題を軽減するために無線リソース設定を減らす。
【０１０２】
過熱問題が軽減された後、端末は、端末の無線リソース設定を増やすようにネットワークデバイスに要求するために使用されるメッセージをネットワークデバイスにレポートする。それに対応して、メッセージを受信した後、ネットワークデバイスは、端末に無線リソース設定を増やすように命令するために使用されるメッセージを端末に送信する。それに対応して、ネットワークデバイスによって送信されたメッセージを受信した後、端末は、メッセージに従って無線リソース設定を増加させ、高速データ伝送を実施する。このようにして、端末は、ネットワークを切断することなく過熱問題を軽減し、過熱問題を軽減した後に可能な限り高いデータ伝送速度を実施することができる。
【０１０３】
本出願では、端末で過熱問題が発生した場合、または過熱問題が軽減された場合、ネットワークデバイスにレポートされるすべてのメッセージを第1のメッセージと呼び、ネットワークデバイスにより端末に送信されるすべてのメッセージを応答メッセージと呼ぶことがある。
【０１０４】
以下は、特定の実施形態を使用することによって技術的解決策をさらに詳細に説明する。
【０１０５】
実施形態1
Step 1：UEが過熱問題を検出すると、UEは問題の原因を決定する。
【０１０６】
UEがどのように過熱問題を検出し、過熱問題の原因を決定するかは、ユーザ機器によって決定される。
【０１０７】
Step 2：アクティブ化されたSCellの数量を減らすことによって問題を解決できるとUEが決定したとき、UEのRRCレイヤはメッセージレポートプロセスをトリガする。メッセージレポートプロセスは、過熱問題が現在UEで発生していること、または過熱問題が解決されていることを基地局に通知するために使用される。基地局にレポートされる過熱問題指示メッセージは、1つの支援情報を含む。支援情報は、以下の内容を含む。
【０１０８】
Option 1：UEによってサポートされ得るアクティブ状態SCellの数量、またはUEによってサポートされ得るアクティブ状態ダウンリンクSCellの数量、および／またはUEによってサポートされ得るアクティブ状態アップリンクSCellの数量。
【０１０９】
また、支援情報は、より詳細な情報を含んでいてもよい。例えば、SCellの数量は、intra−band contiguous CC上のSCellの数量、および／またはintra−band non−contiguous CC上のSCellの数量、および／またはinter−band non−contiguous CC上のSCellの数量であり得る。
【０１１０】
Option 2：UEによりアクティブ状態に留まることが予測されるSCellのSCellIndex、またはUEによりアクティブ状態に留まることが予測されるダウンリンクSCellのSCellIndexおよび／またはUEによりアクティブ状態に留まることが予測されるSCellのSCellIndex。
【０１１１】
Option 3：UEによって非アクティブ化が予測されるSCellの数量、またはUEによって非アクティブ化が予測されるダウンリンクSCellの数量、および／またはUEによって非アクティブ化が予測されるアップリンクSCellの数量。
【０１１２】
また、支援情報は、より詳細な情報を含んでいてもよい。例えば、SCellの数量は、intra−band contiguous CC上のSCellの数量、および／またはintra−band non−contiguous CC上のSCellの数量、および／またはinter−band non−contiguous CC上のSCellの数量であり得る。
【０１１３】
Option 4：UEによって非アクティブ化が予測されるSCellのSCellIndex、またはUEによって非アクティブ化が予測されるダウンリンクSCellのSCellIndex、および／またはUEによって非アクティブ化が予測されるアップリンクSCellのSCellIndex。
【０１１４】
Option 5：UEの過熱問題は、現在過剰なキャリアをアクティブ化していることによって引き起こされることを示す内容。
【０１１５】
UEによるメッセージレポートプロセスをトリガするための条件（例えば、UEの温度）は、ユーザ機器によって決定される。
【０１１６】
Option 6：UEによってサポートされ得る設定されたcomponent carrier／serving cell／SCellの数量、またはUEによってサポートされ得る設定されたダウンリンクcomponent carrier／serving cell／SCellの数量、および／またはUEによってサポートされ得る設定されたアップリンクcomponent carrier／serving cell／SCellの数量。
【０１１７】
また、支援情報は、より詳細な情報を含んでいてもよい。例えば、component carrier／serving cell／SCellの数量は、ある数量のintra−band contiguous CC／serving cell／SCell、および／またはある数量のintra−band non−contiguous CC／serving cell／SCellおよび／または、ある量のinter−band non−contiguous CC／serving cell／SCellに分類されてもよい。
【０１１８】
Option 7：UEによってサポートされ得る設定されたSCellのSCellIndex、またはUEによってサポートされ得る設定されたダウンリンクSCellのSCellIndex、および／またはUEによってサポートされ得る設定されたアップリンクSCellのSCellIndex。
【０１１９】
Option 8：UEによって解放が予測されるcomponent carrier／serving cell／SCellの数量、またはUEによって解放が予測されるダウンリンクcomponent carrier／serving cell／SCellの数量、および／またはUEによって解放が予測されるアップリンクcomponent carrier／serving cell／SCellの数量。
【０１２０】
また、支援情報は、より詳細な情報を含んでいてもよい。例えば、component carrier／serving cell／SCellの数量は、ある数量のintra−band contiguous CC／serving cell／SCell、および／またはある数量のintra−band non−contiguous CC／serving cell／SCellおよび／または、ある量のinter−band non−contiguous CC／serving cell／SCellに分類されてもよい。
【０１２１】
Option 9：UEによって解放が予測されるSCellのSCellIndex、またはUEによって解放が予測されるダウンリンクSCellのSCellIndex、および／またはUEによって解放が予測されるアップリンクSCellのSCellIndex。
【０１２２】
Step 3：基地局が、UEによってレポートされた過熱問題指示メッセージを受信した後、過熱問題指示メッセージが、UEによって現在サポートされ得るアクティブ状態SCellの数量に関する情報を含む場合、基地局はUEのSCellを非アクティブ化するかどうかを決定し、どのSCellが非アクティブ化されるべきかを決定する、またはUEの設定されたcomponent carrier／serving cell／SCellを解放するべきかどうかを決定する。基地局の決定結果がUEのSCellを非アクティブ化することである場合、基地局のメディアアクセス制御（Medium Access Control、MAC）レイヤはアクティブ化／非アクティブ化制御シグナリング（Activation／Deactivation MAC CE）を生成し、Activation／Deactivation MAC CEで非アクティブ化されるものとする（shall）SCellを示し、SCellをUEに送信する。基地局の決定結果がUEのどのSCellも非アクティブ化しないことである場合、基地局はUEにメッセージを送信する必要がない。
【０１２３】
Step 4：Step 2のメッセージが送信された後、以下の動作が実行される。
【０１２４】
UEが基地局によって送信されたアクティブ化／非アクティブ化MAC CEを受信し、アクティブ化／非アクティブ化MAC CEに非アクティブ化されるべきSCellが示される場合、UEは基地局の命令に従って対応するSCellを非アクティブ化する。
【０１２５】
待ち時間の後、UEが、基地局によって送信され、SCell非アクティブ化命令を含むアクティブ化／非アクティブ化MAC CEを受信しないとき、または基地局によって送信され、SCell非アクティブ化命令を含むアクティブ化／非アクティブ化MAC CEをUEが受信してもUEの過熱問題が持続するとき、UEは、ネットワークから登録解除し、次いでネットワークに再登録することを選択してもよい。さらに、再登録後およびUEの無線アクセス能力を照会するための基地局のメッセージが受信された後に、UEは、現在熱問題を軽減するためにUEによって実際にサポートされ得るキャリアアグリゲーション能力を、無線アクセス能力レポートメッセージで基地局にレポートする。
【０１２６】
待ち時間の長さは、UEによって決定され、または専用のRRCシグナリングまたはシステム情報を使用することによってUEについて基地局によって設定され、または規格で事前に規定される。
【０１２７】
Step 5：UEの熱問題がネットワークからの登録解除およびネットワークへの再登録なしに軽減された後、UEのRRCレイヤはメッセージレポートプロセスをトリガする。メッセージレポートプロセスは、過熱問題が現在UEで発生していること、または過熱問題が解決されていることを基地局に通知するために使用される。基地局にレポートされた過熱問題指示メッセージは、支援情報をまったく含まない。
【０１２８】
Step 6：基地局が、UEによってレポートされ、支援情報をまったく含まない過熱問題指示メッセージを受信した後、基地局はUEの上述の過熱問題が軽減されたことを習得し、基地局はUEに対してより多くのSCellをアクティブ化するかどうかを決定し、どのSCellがアクティブ化されるべきかを決定し、またはUEに対してcomponent carrier／serving cell／SCellを追加するべきかどうかを決定する。基地局の決定結果がUEのためにSCellをアクティブ化することである場合、基地局のMACレイヤはアクティブ化／非アクティブ化MAC CEを生成し、アクティブ化／非アクティブ化MAC CEでアクティブ化されるものとする（shall）SCellを示し、SCellをUEに送信する。基地局の決定結果がUEのどのSCellもアクティブ化しないことである場合、基地局はUEにメッセージを送信する必要がない。
【０１２９】
実施形態2
Step 1：UEが過熱問題を検出すると、UEは問題の原因を決定する。
【０１３０】
UEがどのように過熱問題を検出し、過熱問題の原因を決定するかは、ユーザ機器によって決定される。
【０１３１】
Step 2：アクティブ化されたSCellの数量を減らすことによって問題を解決できるとUEが決定したとき、UEのRRCレイヤはメッセージレポートプロセスをトリガする。メッセージレポートプロセスは、UEの更新された無線アクセス能力を基地局に通知するために使用される。基地局にレポートされるメッセージは、現在UEによってサポートされ得る様々な帯域の組み合わせ、および各帯域の組み合わせにおける各帯域でサポートされ得る様々なダウンリンクBandwidthClassおよび／または様々なアップリンクBandwidthClassを含む。
【０１３２】
UEによりメッセージレポートプロセスをトリガするための条件（例えば、UEの温度）は、ユーザ機器によって決定される。
【０１３３】
Step 3：基地局がUEによってレポートされた前述のメッセージを受信した後に、基地局は、UEの更新されたキャリアアグリゲーション能力を受け入れるかどうかを決定し、RRCメッセージを使用することによって決定結果をUEに通知する。決定結果通知メッセージは、RRCConnectionReconfigurationメッセージでもよいし、新たに定義されたRRCメッセージでもよい。あるいは、基地局がUEの更新されたキャリアアグリゲーション能力を受け入れる場合、基地局は、RRCConnectionReconfigurationメッセージを使用することによって、UEに対して設定されたキャリアの数量およびキャリア周波数を調整し、または基地局がUEの更新されたキャリアアグリゲーション能力を拒否した場合、基地局はUEにメッセージを送信しない。
【０１３４】
Step 4：Step 2のメッセージが送信された後、以下の動作が実行される。
【０１３５】
UEが、基地局により送信され、UEに対して設定されたキャリア数量およびキャリア周波数を調整するために使用されるRRCConnectionReconfigurationメッセージを受信した場合、UEは、基地局の命令に従ってキャリアの再設定を行う。
【０１３６】
UEによって受信され、基地局によって送信されたRRCメッセージが、基地局がUEの更新されたキャリアアグリゲーション能力を拒否することを示す場合、またはUEが待ち時間の後に、基地局によって送信され、UEに対して設定されたキャリアの数量およびキャリア周波数を調整するために使用されるRRCConnectionReconfigurationメッセージを受信しない場合、UEはネットワークから登録解除し、次いでネットワークに再登録することを選択することができる。さらに、再登録後およびUEの無線アクセス能力を照会するための基地局のメッセージが受信された後に、UEは、現在熱問題を軽減するためUEによって実際にサポートされ得るキャリアアグリゲーション能力を、無線アクセス能力レポートメッセージで基地局にレポートする。
【０１３７】
待ち時間の長さは、UEによって決定され、または専用のRRCシグナリングまたはシステム情報を使用することによってUEについて基地局によって設定され、または規格で事前に規定される。
【０１３８】
Step 5：UEの熱問題がネットワークからの登録解除およびネットワークへの再登録なしに軽減された後、UEのRRCレイヤはメッセージレポートプロセスをトリガする。メッセージレポートプロセスは、UEの更新された無線アクセス能力を基地局に通知するために使用される。基地局にレポートされるメッセージは、現在UEによってサポートされ得る様々な帯域の組み合わせ、および各帯域の組み合わせにおける各帯域でサポートされ得るBandwidthClassを含む、および／または以前のキャリアアグリゲーション設定を復元するために使用され得る指示情報を含む。より詳細には、基地局は、指示情報に従って、能力レポートメッセージでUEによってレポートされたキャリアアグリゲーション設定能力を復元することを知ることができ、それによって基地局は、能力に基づいてUEのSCellを設定およびアクティブ化することができることが理解されうる。
【０１３９】
Step 6：基地局がUEによってレポートされた前述のメッセージを受信した後に、基地局は、UEの更新されたキャリアアグリゲーション能力を受け入れるかどうかを決定し、RRCメッセージを使用することによって決定結果をUEに通知する。決定結果通知メッセージは、RRCConnectionReconfigurationメッセージでもよいし、新たに定義されたRRCメッセージでもよい。あるいは、基地局がUEの更新されたキャリアアグリゲーション能力を受け入れる場合、基地局は、RRCConnectionReconfigurationメッセージを使用することによって、UEに対して設定されたキャリアの数量およびキャリア周波数を調整する、または基地局がUEの更新されたキャリアアグリゲーション能力を拒否した場合、基地局はUEにメッセージを送信しない。
【０１４０】
実施形態3
Step 1：UEが過熱問題を検出すると、UEは問題の原因を決定する。
【０１４１】
UEがどのように過熱問題を検出し、過熱問題の原因を決定するかは、ユーザ機器によって決定される。
【０１４２】
Step 2：アクティブ化されたSCellの数量を減らすことによって問題を解決できるとUEが決定したとき、UEのRRCレイヤはメッセージレポートプロセスをトリガする。メッセージレポートプロセスは、UEの無線アクセス能力が更新されたことを基地局に通知し、既存のUE能力取得プロセスを使用することによってUEの更新された無線アクセス能力を再取得するように基地局をトリガするために使用される。基地局にレポートされたメッセージは、UEの無線アクセス能力更新指示を含む。
【０１４３】
UEによるメッセージレポートプロセスをトリガするための条件（例えば、UEの温度）は、ユーザ機器によって決定される。
【０１４４】
Step 3：基地局がUEによってレポートされた前述のメッセージを受信した後に、基地局は、既存のUE能力取得プロセスを使用することによって、UEの更新された無線アクセス能力を再取得するかどうかを決定する。
【０１４５】
Step 4：Step 2のメッセージが送信された後、以下の動作が実行される。
【０１４６】
UEが基地局によって送信されたUECapabilityEnquiryメッセージを受信した場合、UEは、UECapabilityInformationを使用することによってUEの更新された能力をレポートする。レポートされた能力は、少なくともUEの更新されたキャリアアグリゲーション能力を含む。言い換えれば、レポートされた能力は、UEによって現在サポートされ得る様々な帯域の組み合わせと、各帯域の組み合わせの中の各帯域でサポートされ得るBandwidthClassとを含む。
【０１４７】
待ち時間の後、UEが、基地局によって送信されたUECapabilityEnquiryメッセージを受信しない場合、UEはネットワークから登録解除し、次いでネットワークに再登録することを選択することができる。さらに、再登録後およびUEの無線アクセス能力を照会するための基地局のメッセージが受信された後に、UEは、現在熱問題を軽減するためUEによって実際にサポートされ得るキャリアアグリゲーション能力を、無線アクセス能力レポートメッセージで基地局にレポートする。
【０１４８】
待ち時間の長さは、UEによって決定され、または専用のRRCシグナリングまたはシステム情報を使用することによってUEについて基地局によって設定され、または規格で事前に規定される。
【０１４９】
Step 5：UEの熱問題がネットワークからの登録解除およびネットワークへの再登録なしに軽減された後、UEのRRCレイヤはメッセージレポートプロセスをトリガする。メッセージレポートプロセスは、UEの無線アクセス能力が更新されたことを基地局に通知し、既存のUE能力取得プロセスを使用することによってUEの更新された無線アクセス能力を再取得するように基地局をトリガするために使用される。基地局にレポートされたメッセージは、UEの無線アクセス能力更新指示を含む。
【０１５０】
Step 6：基地局がUEによってレポートされた前述のメッセージを受信した後に、基地局は、既存のUE能力取得プロセスを使用することによって、UEの更新された無線アクセス能力を再取得するかどうかを決定する。
【０１５１】
実施形態4
Step 1：UEが過熱問題を検出すると、UEは問題の原因を決定する。
【０１５２】
UEがどのように過熱問題を検出し、過熱問題の原因を決定するかは、ユーザ機器によって決定される。
【０１５３】
Step 2：特定数量の無線周波数受信リンクおよび特定数量の無線周波数送信リンクを無効にすることによって問題が解決され得るとUEが決定したとき、UEのRRCレイヤはメッセージレポートプロセスをトリガする。メッセージレポートプロセスは、過熱問題が現在UEで発生していること、または過熱問題が解決されていることを基地局に通知するために使用される。基地局にレポートされたメッセージは、1つの支援情報を含む。支援情報は、以下の内容を含む。
【０１５４】
Option 1：UEによって現在サポートされ得るダウンリンクMIMO layerの最大数量および／またはアップリンクMIMO layerの最大数量。
【０１５５】
Option 2：基地局によってUEについて設定される各サービングセルにおいてUEによってサポートされ得るダウンリンクMIMO layerの最大数量および／またはアップリンクMIMO layerの最大数量。
【０１５６】
Option 3：基地局によってUEについて設定される各サービングセルに対応する帯域でUEによってサポートされ得るダウンリンクMIMO layerの最大数量および／またはアップリンクMIMO layerの最大数量。
【０１５７】
Option 4：UEの過熱問題が、現在サポートされる必要があるダウンリンクMIMO layerの過剰な最大数量および／またはアップリンクMIMO layerの過剰な最大数量によって引き起こされることを示す内容。
【０１５８】
UEによるメッセージレポートプロセスをトリガするための条件（例えば、UEの温度）は、ユーザ機器によって決定される。
【０１５９】
Step 3：基地局が、UEによってレポートされた過熱問題指示メッセージを受信した後、過熱問題指示メッセージが、UEによって現在サポートされ得るダウンリンクMIMO layerの最大数量および／またはアップリンクMIMO layerの最大数量に関する情報を含む場合、基地局は、UEのダウンリンクMIMO layerの最大数量および／またはアップリンクMIMO layerの最大数量を減らすかどうかを決定する。基地局の決定結果が、UEのダウンリンクMIMO layerの最大数量およびアップリンクMIMO layerの最大数量を減らすことである場合、基地局は、RRC接続再設定プロセスを使用することによってUEのダウンリンクMIMO layerの最大数量および／またはアップリンクMIMOlayerの最大数量を再設定する。基地局の決定結果が、UEのダウンリンクMIMO layerの最大数量および／またはアップリンクMIMO layerの最大数量を減らさないことである場合、基地局は、UEにメッセージをまったく送信する必要がない。
【０１６０】
Step 4：Step 2のメッセージが送信された後、以下の動作が実行される。
【０１６１】
基地局から送信され、UEのダウンリンクMIMO layerの最大数量および／またはアップリンクMIMO layerの最大数量を減らすために使用されるRRCConnectionReconfigurationメッセージをUEが受信した場合、UEは対応する数量の無線周波数受信リンクおよび対応する数量の無線周波数送信リンクを無効にする。
【０１６２】
待ち時間の後、基地局から送信され、UEのダウンリンクMIMO layerの最大数量および／またはアップリンクMIMOlayerの最大数量を減らすために使用されるRRCConnectionReconfigurationメッセージをUEが受信した場合、UEはネットワークから登録解除し、次いでネットワークに再登録することを選択することができる。さらに、再登録後およびUEの無線アクセス能力を照会するための基地局のメッセージが受信された後に、UEは、現在熱問題を軽減するためにUEによって実際にサポートされ得るMIMO能力を、無線アクセス能力レポートメッセージで基地局に、レポートする。
【０１６３】
待ち時間の長さは、UEによって決定され、または専用のRRCシグナリングまたはシステム情報を使用することによってUEについて基地局によって設定され、または規格で事前に規定される。
【０１６４】
Step 5：UEの熱問題がネットワークからの登録解除およびネットワークへの再登録なしに軽減された後、UEのRRCレイヤはメッセージレポートプロセスをトリガする。メッセージレポートプロセスは、過熱問題が現在UEで発生していること、または過熱問題が解決されていることを基地局に通知するために使用される。基地局にレポートされたメッセージは、支援情報をまったく含まない。
【０１６５】
Step 6：基地局が、UEによってレポートされ、支援情報をまったく含まない過熱問題指示メッセージを受信した後、基地局はUEの上述の過熱問題が軽減されたことを習得し、基地局は、UEに対して設定されたダウンリンクMIMO layerの最大数量および／またはアップリンクMIMO layerの最大数量を復元するかどうかを決定する。基地局の決定結果が、UEに対して設定されたダウンリンクMIMO layerの最大数量および／またはアップリンクMIMO layerの最大数量を復元することである場合、基地局は、RRC接続再設定プロセスを使用することによってUEのダウンリンクMIMO layerの最大数量および／またはアップリンクMIMO layerの最大数量を再設定する。基地局の決定結果が、UEに対して設定されたダウンリンクMIMO layerの最大数量および／またはアップリンクMIMO layerの最大数量を復元しないことである場合、基地局は、UEにメッセージをまったく送信する必要がない。
【０１６６】
実施形態5
Step 1：UEが過熱問題を検出すると、UEは問題の原因を決定する。
【０１６７】
UEがどのように過熱問題を検出し、過熱問題の原因を決定するかは、ユーザ機器によって決定される。
【０１６８】
Step 2：特定数量の無線周波数受信リンクおよび特定数量の無線周波数送信リンクを無効にすることによって問題が解決され得るとUEが決定したとき、UEのRRCレイヤはメッセージレポートプロセスをトリガする。メッセージレポートプロセスは、UEの更新された無線アクセス能力を基地局に通知するために使用される。基地局にレポートされるメッセージは、UEによって現在サポートされ得る各帯域、ならびに各帯域で対応してサポートされ得るダウンリンクMIMO能力および／もしくはアップリンクMIMO能力、ならびに／または、様々な帯域の組み合わせおよび各帯域の組み合わせにおける各帯域の各サポートされるダウンリンクbandwidthClassで対応してサポートされ得るダウンリンクMIMO能力および／もしくは各帯域の組み合わせにおける各帯域の各サポートされるアップリンクbandwidthClassで対応してサポートされ得るアップリンクMIMO能力を含む。
【０１６９】
UEによるメッセージレポートプロセスをトリガするための条件（例えば、UEの温度）は、ユーザ機器によって決定される。
【０１７０】
Step 3：基地局がUEによってレポートされた前述のメッセージを受信した後に、基地局は、UEの更新されたMIMO能力を受け入れるかどうかを決定し、RRCメッセージを使用することによって決定結果をUEに通知する。決定結果通知メッセージは、RRCConnectionReconfigurationメッセージでもよいし、新たに定義されたRRCメッセージでもよい。あるいは、基地局がUEの更新されたMIMO能力を受け入れる場合、基地局は、RRCConnectionReconfigurationメッセージを使用することによって、UEのダウンリンクMIMO layerの数量および／またはアップリンクMIMO layerの数量を再設定し、または基地局がUEの更新されたMIMOを拒否した場合、基地局はUEにメッセージを送信しない。
【０１７１】
Step 4：Step 2のメッセージが送信された後、以下の動作が実行される。
【０１７２】
基地局により送信され、UEの更新されたMIMO能力を受け入れるために使用されるRRCメッセージをUEが受信した場合、UEは対応する数量の無線周波数受信リンクおよび対応する数量の無線周波数送信リンクを無効にする。
【０１７３】
UEによって受信され、基地局によって送信されたRRCメッセージが、基地局がUEの更新されたMIMO能力を拒否することを示す場合、またはUEが待ち時間の後に、基地局によって送信され、UEのダウンリンクMIMO layerの数量および／またはアップリンクMIMO layerの数量を再設定するために使用されるRRCConnectionReconfigurationメッセージを受信しない場合、UEはネットワークから登録解除し、次いでネットワークに再登録することを選択することができる。さらに、再登録後およびUEの無線アクセス能力を照会するための基地局のメッセージが受信された後に、UEは、現在熱問題を軽減するためUEによって実際にサポートされ得るMIMO能力を、無線アクセス能力レポートメッセージで基地局にレポートする。
【０１７４】
待ち時間の長さは、UEによって決定され、または専用のRRCシグナリングまたはシステム情報を使用することによってUEについて基地局によって設定され、または規格で事前に規定される。
【０１７５】
Step 5：UEの熱問題がネットワークからの登録解除およびネットワークへの再登録なしに軽減された後、UEのRRCレイヤはメッセージレポートプロセスをトリガする。メッセージレポートプロセスは、UEの更新された無線アクセス能力を基地局に通知するために使用される。基地局にレポートされるメッセージは、UEによって現在サポートされ得る各帯域、各帯域で対応してサポートされ得るダウンリンクMIMO能力および／またはアップリンクMIMO能力、UEによって現在サポートされ得る様々な帯域の組み合わせ、ならびに各帯域の組み合わせにおける各帯域の各サポートされるダウンリンクbandwidthClassで対応してサポートされ得るダウンリンクMIMO能力および／または各帯域の組み合わせにおける各帯域の各サポートされるアップリンクbandwidthClassで対応してサポートされ得るアップリンクMIMO能力を含む。
【０１７６】
Step 6：基地局がUEによってレポートされた前述のメッセージを受信した後に、基地局は、UEの更新されたMIMO能力を受け入れるかどうかを決定し、RRCメッセージを使用することによって決定結果をUEに通知する。決定結果通知メッセージは、RRCConnectionReconfigurationメッセージでもよいし、新たに定義されたRRCメッセージでもよい。あるいは、基地局がUEの更新されたMIMO能力を受け入れる場合、基地局は、RRCConnectionReconfigurationメッセージを使用することによって、UEのダウンリンクMIMO layerの数量および／またはアップリンクMIMO layerの数量を再設定する、または基地局がUEの更新されたMIMOを拒否した場合、基地局はUEにメッセージを送信しない。
【０１７７】
実施形態6
Step 1：UEが過熱問題を検出すると、UEは問題の原因を決定する。
【０１７８】
UEがどのように過熱問題を検出し、過熱問題の原因を決定するかは、ユーザ機器によって決定される。
【０１７９】
Step 2：特定数量の無線周波数受信リンクおよび特定数量の無線周波数送信リンクを無効にすることによって問題が解決され得るとUEが決定したとき、UEのRRCレイヤはメッセージレポートプロセスをトリガする。メッセージレポートプロセスは、UEの無線アクセス能力が更新されたことを基地局に通知し、既存のUE能力取得プロセスを使用することによってUEの更新された無線アクセス能力を再取得するように基地局をトリガするために使用される。基地局にレポートされたメッセージは、UEの無線アクセス能力更新指示を含む。
【０１８０】
UEによるメッセージレポートプロセスをトリガするための条件（例えば、UEの温度）は、ユーザ機器によって決定される。
【０１８１】
Step 3：基地局がUEによってレポートされた前述のメッセージを受信した後に、基地局は、既存のUE能力取得プロセスを使用することによって、UEの更新された無線アクセス能力を再取得するかどうかを決定する。
【０１８２】
Step 4：Step 2のメッセージが送信された後、以下の動作が実行される。
【０１８３】
UEが基地局によって送信されたUECapabilityEnquiryメッセージを受信した場合、UEは、UECapabilityInformationを使用することによってUEの更新された能力をレポートする。レポートされた能力は、少なくともUEの更新されたMIMO能力を含む。言い換えれば、レポートされた能力は、UEによって現在サポートされ得る様々な帯域の組み合わせ、ならびに各帯域の組み合わせにおける各帯域の各サポートされるダウンリンクbandwidthClassで対応してサポートされ得るダウンリンクMIMO能力および／または各帯域の組み合わせにおける各帯域の各サポートされるアップリンクbandwidthClassで対応してサポートされ得るアップリンクMIMO能力を含む。
【０１８４】
待ち時間の後、UEが、基地局によって送信されたUECapabilityEnquiryメッセージを受信しない場合、UEはネットワークから登録解除し、次いでネットワークに再登録することを選択することができる。さらに、再登録後およびUEの無線アクセス能力を照会するための基地局のメッセージが受信された後に、UEは、現在熱問題を軽減するためUEによって実際にサポートされ得るMIMO能力を、無線アクセス能力レポートメッセージで基地局にレポートする。
【０１８５】
待ち時間の長さは、UEによって決定され、または専用のRRCシグナリングまたはシステム情報を使用することによって基地局によってUEに対して設定され、または規格で事前に規定される。
【０１８６】
Step 5：UEの熱問題がネットワークからの登録解除およびネットワークへの再登録なしに軽減された後、UEのRRCレイヤはメッセージレポートプロセスをトリガする。メッセージレポートプロセスは、UEの無線アクセス能力が更新されたことを基地局に通知し、既存のUE能力取得プロセスを使用することによってUEの更新された無線アクセス能力を再取得するように基地局をトリガするために使用される。基地局にレポートされたメッセージは、UEの無線アクセス能力更新指示を含む。
【０１８７】
Step 6：基地局がUEによってレポートされた前述のメッセージを受信した後に、基地局は、既存のUE能力取得プロセスを使用することによって、UEの更新された無線アクセス能力を再取得するかどうかを決定する。
【０１８８】
前述の実施形態におけるキャリアアグリゲーションに関連する支援情報とMIMOに関連する支援情報の両方は、UEによってレポートされたメッセージに含まれ得る。
【０１８９】
実施形態1から実施形態6におけるUEのメッセージレポート方法について、いくつかの任意選択の実施形態では、ネットワークデバイスは、ユーザ機器がメッセージをレポートすることができるかどうかをユーザ機器にさらに通知することができる。本出願において、ネットワークデバイスは、以下の2つの方法を用いて、端末が第1のメッセージをレポートできるかどうかを端末に通知してもよい。
【０１９０】
1．基地局は、専用RRCシグナリングを使用することによって、UEによって開始されたメッセージレポートプロセスがサポートされているかどうかをUEに通知する。UEによって開始されるメッセージレポートプロセスは、実施形態1から実施形態6の任意のメッセージレポートプロセスでもよい。通知の方法は明示的な指示方法であり得る。言い換えれば、メッセージレポートプロセスが開始され得るかどうかをUEに通知するには1つの指示情報が使用され、あるいは、キャリアアグリゲーションのためのメッセージレポートプロセスが開始され得るかどうかをUEに通知するため、および／またはMIMOのためのメッセージレポートプロセスが開始され得るかどうかをUEに通知するために、2つの情報がそれぞれ使用される。さらに、基地局が指示情報をUEに通知するかどうかについての条件が指定され得る。言い換えれば、基地局がUEに対してキャリアアグリゲーション機能／MIMO機能を設定するとき、基地局は指示情報を設定する必要がある。その他の場合は、基地局は指示情報を設定しない。
【０１９１】
2．基地局は、システム情報を使用することによって、UEによって開始されたメッセージレポートプロセスがサポートされているかどうかをUEに通知する。UEによって開始されるメッセージレポートプロセスは、実施形態1から実施形態6の任意のメッセージレポートプロセスでもよい。通知の方法は明示的な指示方法であり得る。言い換えれば、メッセージレポートプロセスが開始され得るかどうかをUEに通知するには1つの指示情報が使用され、あるいは、キャリアアグリゲーションのためのメッセージレポートプロセスが開始され得るかどうかをUEに通知するため、および／またはMIMOのためのメッセージレポートプロセスが開始され得るかどうかをUEに通知するために、2つの情報がそれぞれ使用される。さらに、基地局が指示情報をUEに通知するかどうかについての条件が指定され得る。言い換えれば、基地局がUEに対してキャリアアグリゲーション機能／MIMO機能を設定するとき、基地局は指示情報を設定する必要がある。その他の場合は、基地局は指示情報を設定しない。
【０１９２】
実施形態1から実施形態6におけるUEのメッセージレポート方法の場合、いくつかの任意選択の実施形態では、ユーザ機器によってネットワークデバイスにメッセージをレポートする頻度を制御するために、UEに対してタイマを設定する必要があり、タイマはメッセージレポートプロセスにおいてUEがメッセージ送信を開始できるかどうかを制御するために使用される。UEによって開始されるメッセージレポートプロセスは、実施形態1から実施形態7の任意のメッセージレポートプロセスでもよい。具体的な実装形態は以下の通りである。
【０１９３】
UEが実施形態1から実施形態6の任意のメッセージレポートプロセスを開始する必要があるとき、現在レポートされているメッセージの内容が以前に開始されたメッセージレポートプロセスでレポートされたメッセージの内容と同じである場合、ユーザ機器はメッセージレポートプロセスを開始できない。現在レポートされているメッセージの内容が、以前に開始されたメッセージレポートプロセスにおいてレポートされたメッセージの内容とは異なる場合、UEは、タイマが実行されるかどうかをチェックする。ここで、タイマはUEのために基地局により設定され、メッセージレポートを開始するようUEを制御するために使用される。タイマが実行すると、UEは現在要求されているメッセージレポートプロセスを開始することができない。その他の場合、タイマが実行しないと、UEは現在要求されているメッセージレポートプロセスを開始することができる。
【０１９４】
UEがメッセージレポートプロセスを開始すると、UEは、メッセージレポートを開始するようUEを制御するために使用されるタイマを開始または再開する。
【０１９５】
前述の方法は以下の特徴をさらに含む。
【０１９６】
実施形態のタイマが基地局によって設定される場合、実施形態1から実施形態6ではUEにより開始されるメッセージレポートプロセスを基地局がサポートするかどうかの暗黙の指示として、基地局がUEのタイマを設定するかどうかという事実をUEは使用し得る。言い換えれば、UEが、UEの基地局によって設定されたタイマを受信すると、UEはメッセージレポートプロセスを開始することができ、その他の場合、UEはメッセージレポートプロセスを開始することができない。
【０１９７】
タイマの長さは、基地局によって設定されてもよく、またはプロトコルにおいて事前設定される値であってもよい。タイマの長さが基地局によって設定される場合、基地局は、専用のシグナリングを使用することによって長さを設定してもよく、またはシステムメッセージで長さを設定してもよい。専用シグナリングを使用して設定が行われる場合、実施形態1から実施形態6のメッセージレポート処理が開始できるかどうかをUEに通知するために使用される長さおよび指示情報は、同じメッセージで同時に設定され得、または指示情報を設定せずに、タイマの長さのみが設定され得る。
【０１９８】
実施形態1から実施形態6で説明されたUEのメッセージレポート方法に関して、ユーザ機器がある基地局から他の基地局にハンドオーバされる場合、いくつかのステップがそれに対応して前述の方法に追加され得る。本明細書では、以下の2つの実装形態が提案されている。
【０１９９】
UEのソース基地局がハンドオーバを実行するようにUEをトリガするとき、ソース基地局がStep 2でUEによってレポートされたメッセージを実施形態1から実施形態6のいずれかの方法で以前に受信している場合、ハンドオーバ要求メッセージは、ターゲット基地局に送信され、そのメッセージは、UEによって報告される。例えば、メッセージは、ハンドオーバ準備メッセージに含まれるアクセス階層コンテキスト（AS context）情報の内容として使用されてもよい。
【０２００】
さらに、UEのソース基地局がハンドオーバを実行するようにUEをトリガするとき、ソース基地局によってターゲット基地局に送信されるハンドオーバ要求メッセージは、UEのソース基地局によって設定され、実施形態1から実施形態6のメッセージレポート処理が開始され得るかどうかをUEに通知するために使用される指示情報、および／または実施形態1から実施形態6のメッセージレポート処理でUEがメッセージ送信を開始できるかどうかを制御するために使用されるタイマの値をさらに含む。例えば、ハンドオーバ準備メッセージに含まれるAS Config情報の内容としてメッセージが使用され得る。
【０２０１】
UEが現在のサービングセルによって送信され、MobilityControlInfoを含むRRCConnectionReconfigurationメッセージを受信するとき、UEが実施形態1から実施形態6の任意の方法で、現在の時間のTミリ秒前にサービングセルにStep 2でレポートされたメッセージを送信する場合、およびUEのターゲットセルが実施形態1から実施形態6の任意の方法でメッセージレポートプロセスを開始する際にUEもサポートする場合、UEは実施形態1から実施形態6の任意の方法において新しいサービングセルでメッセージレポートプロセスを開始する。
【０２０２】
Tの長さは、プロトコルに事前設定されている数値でもよく、または専用メッセージまたはシステムメッセージを使用することによって基地局によって設定されてもよい。
【０２０３】
任意選択の実施形態では、ユーザ機器がネットワークにアクセスした後、UEが前述のメッセージレポート能力をサポートするとき、UEは、UEが前述のメッセージレポートをサポートすることを示すために使用される指示情報を、無線能力レポートメッセージに追加する必要がある。
【０２０４】
基地局は、UEによってレポートされた能力メッセージに含まれる指示情報に基づいて、基地局の側の指示情報および／またはタイマの値設定が配信される必要がある特定のUEを決定することができる。
【０２０５】
キャリアアグリゲーションは、3GPP規格のRelease10から導入されている。これ以降、CA＋MIMO製品は市場の要件を満たすために高いレートを追求し続け、継続的にアップグレードされている。ユーザ機器製品のCATカテゴリは継続的にアップグレードされており、将来の製品は1G CAT 16を超えるカテゴリを有している。製品レートの増加と比較して、ユーザ機器製品は、外観がより小さく、より薄い。しかしながら、CAおよびMIMOは、3GPP規格のネットワークによる単一方向命令を通じて制御され、そしてユーザ機器は受動的に実行を行う。CA＋MIMOがシステム側によって単一方向に制御されるという欠点のために、UEは実際の状態に基づいてサービスを実行することができない。高レートモードでは、RFおよびベースバンドのチャネル数量が関連コンポーネントの負荷を増大させるため、熱および電力消費の問題は軽減され得ない。その結果、ユーザ機器は高速サービスを享受することができず、ユーザ機器のステータスに基づいてネットワーク容量スケジューリングが実行され得ず、リソースの浪費を引き起こす。本発明の実施形態によれば、ユーザ機器が過熱問題に遭遇すると、CAおよびMIMOはonlineで動的かつ積極的に制御され、それによって優れた通信エクスペリエンスを提供し、システム側ではUEの適切なスケジューリングに貢献する。さらに、電力消費および熱が円滑に軽減されるので、新しい、より小さく、より薄い設計のための基礎がユーザ機器の外観のために提供される。
【０２０６】
本発明の方法の実施形態の関連部分は相互に参照され得る。装置の実施形態で提供される装置は、対応する方法の実施形態で提供される方法を実行するように構成される。したがって、装置の実施形態については、関連する方法の実施形態の関連部分を参照されたい。
【０２０７】
本発明の実施形態で提供されるメッセージ／フレームおよびモジュールまたはユニットの名前は単なる例であり、メッセージ／フレームおよびモジュールまたはユニットの機能が同じであれば他の名前が使用され得る。
【０２０８】
当業者であれば、前述の任意の実施形態で指定された方法のステップの全部または一部が、関連するハードウェアに命令するプログラムによって実施され得ることを理解するはずである。プログラムは、フラッシュまたはEEPROMのようなデバイスの可読記憶媒体に記憶されてもよい。プログラムが実行されると、プログラムは上述したステップの全部または一部を実行する。
【０２０９】
結論として、本発明の実施形態によれば、端末に過熱問題が発生した場合、端末はネットワークデバイスの命令に応じて、ネットワークを切断することなく、かつ標準の規定に従って無線リソース設定を削減することができ、それによって過熱問題を軽減することができる。過熱問題が軽減されると、端末は、ネットワークデバイスの命令に応じて、ネットワークを切断することなく、標準の規定に従って、無線リソース設定を増やすことができ、それによって高速データ伝送を実施することができる。
【０２１０】
前述の実施形態の全部または一部は、ソフトウェア、ハードウェア、ファームウェア、またはそれらの任意の組み合わせを使用することによって実装され得る。ソフトウェアが実施形態を実施するために使用される場合、実施形態は全体または部分的にコンピュータプログラム製品の形で実施され得る。コンピュータプログラム製品は、1つ以上のコンピュータ命令を含む。コンピュータプログラム命令がコンピュータにロードされ実行されると、このアプリケーションにおける手順または機能の全部または一部が生成される。コンピュータは、汎用コンピュータ、専用コンピュータ、コンピュータネットワーク、または他のプログラム可能な装置とすることができる。コンピュータ命令は、コンピュータ可読記憶媒体に格納されてもよく、またはコンピュータ可読記憶媒体から他のコンピュータ可読記憶媒体に送信されてもよい。例えば、コンピュータ命令は、ウェブサイト、コンピュータ、サーバ、またはデータセンタから他のウェブサイト、コンピュータ、サーバ、またはデータセンタに有線（例えば、同軸ケーブル、光ファイバ、またはデジタル加入者回線）またはワイヤレス（例えば、赤外線、無線、マイクロ波など）の方法で送信されてもよい。コンピュータ可読記憶媒体は、コンピュータによってアクセス可能な任意の使用可能媒体、または1つ以上の使用可能媒体を統合したサーバまたはデータセンタなどのデータ記憶デバイスとすることができる。使用可能な媒体は、磁気媒体（例えば、フロッピーディスク、ハードディスク、または磁気テープ）、光学媒体（例えば、DVD）、半導体媒体（例えば、ソリッドステートディスクSolid State Disk）などであり得る。
【符号の説明】
【０２１１】
10  端末
20  ネットワークデバイス
100  通信システム
101  通信インタフェース
102  ユーザインタフェース
104  端末プロセッサ
106  送信器
108  受信器
110  カプラ
110  ネットワークデバイス
112  メモリ
114  アンテナ
116  キー入力モジュール
118  音声入出力モジュール
120  ディスプレイ
120  端末
201  ネットワークデバイスプロセッサ
203  通信インタフェース
205  メモリ
207  送信器
209  受信器
211  カプラ
213  アンテナ
【図１】
0006915063.tif 000002
【図１Ａ】
0006915063.tif 000003
【図２】
0006915063.tif 000004
【図３】
0006915063.tif 000005